【手続補正書】
【提出日】平成16年5月17日(2004.5.17)
【手続補正１】
【補正対象書類名】明細書
【補正対象項目名】特許請求の範囲
【補正方法】変更
【補正の内容】
【特許請求の範囲】
【請求項１】
第１の画像機器にて使用される第１画像データを入力し、第２の画像機器にて使用される第２画像データに変換する際に参照され、それぞれの画像データの対応関係をデータとして保持する色変換テーブルデータを記録した媒体であって、
上記対応関係は上記第２の画像機器で使用されるメディアの色と画像の色調との組み合わせ毎に規定されていることを特徴とする色変換テーブルデータを記録した媒体。
【請求項２】
上記第２の画像機器は印刷装置であって第２画像データはインク量データであり、上記第１画像データにて示される白色に対して上記印刷装置にて所定の有限量インクを使用するように上記対応関係が規定されていることを特徴とする上記請求項１に記載の色変換テーブルデータを記録した媒体。
【請求項３】
上記対応関係は、低彩度領域を含む所定モノクロ領域の色について規定されていることを特徴とする上記請求項１または請求項２のいずれかに記載の色変換テーブルデータを記録した媒体。
【請求項４】
上記色変換テーブルデータは上記画像の各色調における白色と第２の画像機器で使用されるメディアの色とが異なる場合に参照され、当該メディアの色を上記画像の各色調における白色に近づけるように上記対応関係が規定されていることを特徴とする上記請求項１〜請求項３のいずれかに記載の色変換テーブルデータを記録した媒体。
【請求項５】
上記対応関係は、上記第１画像データの変化に対して第２画像データが滑らかに変化するように規定されていることを特徴とする上記請求項１〜請求項４のいずれかに記載の色変換テーブルデータを記録した媒体。
【請求項６】
上記画像の各色調について第２の画像機器で使用される複数のメディアにおいて所定の理想色彩変化に近づけるようにして対応関係が規定されていることを特徴とする上記請求項１〜請求項５のいずれかに記載の色変換テーブルデータを記録した媒体。
【請求項７】
上記色変換テーブルデータはコンピュータにおいて色変換を実行する際に参照され、当該コンピュータにおいては第２の画像機器で使用するメディア情報と画像の色調情報とのいずれかまたは双方を利用者に入力させ、予め保持された複数の対応関係のいずれかを当該入力された情報に基づいて選択して色変換を実行することを特徴とする上記請求項１〜請求項６のいずれかに記載の色変換テーブルデータを記録した媒体。
【請求項８】
上記利用者が入力するメディア情報にはメディアの色を特定するための情報が含まれていることを特徴とする上記請求項７に記載の色変換テーブルデータを記録した媒体。
【請求項９】
印刷後のメディアに余白が存在するような画像の印刷に当たり当該余白について有限量インクを使用するように上記対応関係が規定されていることを特徴とする上記請求項２〜請求項８のいずれかに記載の色変換テーブルデータを記録した媒体。
【請求項１０】
上記印刷装置は複数色インクの組み合わせによって多色を表現するとともに濃淡インクを使用可能であり、上記白色に対して少なくとも１色の有限量淡インクを使用することを特徴とする上記請求項２〜請求項９のいずれかに記載の色変換テーブルデータを記録した媒体。
【請求項１１】
第１の画像機器にて使用される第１画像データを入力し、第２の画像機器にて使用される第２画像データに変換する色変換プログラムを記録した媒体であって、
上記第１画像データと第２画像データとについて規定された対応関係であって上記第２の画像機器で使用されるメディアの色と画像の色調との組み合わせ毎に規定された対応関係を参照して上記色変換を実行する色変換機能をコンピュータに実現させることを特徴とする色変換プログラムを記録した媒体。
【請求項１２】
第１の画像機器にて使用される第１画像データを入力し、第２の画像機器にて使用される第２画像データに変換する色変換装置であって、
上記第１画像データと第２画像データとについて規定された対応関係であって上記第２の画像機器で使用されるメディアの色と画像の色調との組み合わせ毎に規定された対応関係を参照して上記色変換を実行する色変換手段を具備することを特徴とする色変換装置。
【請求項１３】
第１の画像機器にて使用される第１画像データを入力し、第２の画像機器にて使用される第２画像データに変換する色変換方法であって、
上記第１画像データと第２画像データとについて規定された対応関係であって上記第２の画像機器で使用されるメディアの色と画像の色調との組み合わせ毎に規定された対応関係を参照して上記色変換を実行することを特徴とする色変換方法。
【請求項１４】
第１の画像機器にて使用される第１画像データを入力し、第２の画像機器にて使用される第２画像データに変換する色変換プログラムであって、
上記第１画像データと第２画像データとについて規定された対応関係であって上記第２の画像機器で使用されるメディアの色と画像の色調との組み合わせ毎に規定された対応関係を参照して上記色変換を実行する色変換機能をコンピュータに実現させることを特徴とする色変換プログラム。
【請求項１５】
第１の画像機器にて使用される第１画像データを入力し、第２の画像機器にて使用される第２画像データに変換する際に参照され、それぞれの画像データの対応関係をデータとして保持する色変換テーブルであって、
上記対応関係は上記第２の画像機器で使用されるメディアの色と画像の色調との組み合わせ毎に規定されていることを特徴とする色変換テーブル。
【請求項１６】
第１の画像機器にて使用される第１画像データを入力する第１画像データ入力手段と、
上記第１画像データと第２の画像機器にて使用される第２画像データとの対応関係であって上記第２の画像機器で使用されるメディアの色と画像の色調との組み合わせ毎に規定された対応関係を参照して第１画像データを第２画像データに変換する色変換手段と、
同第２画像データに基づいて画像を印刷させる印刷実行手段とを具備することを特徴とする印刷制御装置。
【請求項１７】
印刷装置にて画像を印刷する際の印刷制御方法であって、
第１の画像機器にて使用される第１画像データを入力する第１画像データ入力工程と、
上記第１画像データと第２の画像機器にて使用される第２画像データとの対応関係であって上記第２の画像機器で使用されるメディアの色と画像の色調との組み合わせ毎に規定された対応関係を参照して第１画像データを第２画像データに変換する色変換工程と、
同第２画像データに基づいて画像を印刷させる印刷実行工程とを具備することを特徴とする印刷制御方法。
【請求項１８】
印刷装置にて画像を印刷する際の印刷制御プログラムであって、
第１の画像機器にて使用される第１画像データを入力する第１画像データ入力機能と、
上記第１画像データと第２の画像機器にて使用される第２画像データとの対応関係であって上記第２の画像機器で使用されるメディアの色と画像の色調との組み合わせ毎に規定された対応関係を示すデータを参照して第１画像データを第２画像データに変換する色変換機能と、
同第２画像データに基づいて画像を印刷させる印刷実行機能とを具備することを特徴とする印刷制御プログラム。
【手続補正２】
【補正対象書類名】明細書
【補正対象項目名】００２６
【補正方法】変更
【補正の内容】
【００２６】
【発明の効果】
以上説明したように、請求項１，請求項１１〜請求項１８にかかる発明によれば総てのメディアについて総ての色調についてハイライト部分についても自然な色調となるように色変換可能な色変換テーブルデータを記録した媒体、色変換プログラムを記録した媒体、色変換装置、色変換方法、色変換プログラムおよび色変換テーブルを提供することができる。
また、請求項２にかかる発明によれば、第２の画像機器で使用する印刷メディアの地の色を露出させずに印刷を行うことができる。
さらに、請求項３にかかる発明によれば、低彩度の色を含むモノクロ画像について総てのメディアで自然に印刷されるよう色変換を実行することができる。
さらに、請求項４にかかる発明によれば、メディアの地色によって画像の色調に影響を与えず、第２の画像機器にて自然な色調で画像を出力することができる。
さらに、請求項５にかかる発明によれば、画像内の色の変化によってトーンジャンプが発生せず、自然な色調とすることができる。